(57)【要約】【課題】簡単な操作でグループ設定ができるＩＰ通信システムを提供する。【解決手段】携帯電話２０と通信を行う外部インターフェース部７０と、ＩＰ通信可能なＩＰ送受信部４０と、ＩＰアドレス記憶部５０と、グループＩＰアドレス記憶部３０とを備えたＩＰ通信端末１を有するＩＰ通信システムであって、ＩＰアドレス記憶部５０は、ＩＰ通信端末１のＩＰアドレスを記憶し、外部インターフェース部７０は、ＩＰ通信端末１のＩＰアドレスを携帯電話２０に送信するとともに、携帯電話２０に蓄積されたメールから通信相手方２１のＩＰアドレスを取得し、グループＩＰアドレス記憶部３０は、通信相手方２１のＩＰアドレスをＩＰ通信端末１のグループのＩＰアドレスとして設定する。【選択図】図１
2005198095.tif 000002
【特許請求の範囲】
【請求項１】
携帯電話と通信を行う外部インターフェース部と、ＩＰ通信可能なＩＰ送受信部と、ＩＰアドレス記憶部と、グループＩＰアドレス記憶部とを備えたＩＰ通信端末を有し、
前記ＩＰアドレス記憶部は、前記ＩＰ通信端末のＩＰアドレスを記憶し、
前記外部インターフェース部は、前記ＩＰ通信端末のＩＰアドレスを前記携帯電話に送信するとともに、前記携帯電話に蓄積されたメールから通信相手方のＩＰアドレスを取得し、
前記グループＩＰアドレス記憶部は、前記通信相手方のＩＰアドレスを前記ＩＰ通信端末のグループのＩＰアドレスとして設定することを特徴とするＩＰ通信システム。
【請求項２】
前記ＩＰ通信端末と前記携帯電話とを接続した時、前記ＩＰ通信端末は前記携帯電話に蓄積された前記メールから前記通信相手方のＩＰアドレスを取得し、前記グループのＩＰアドレスとして設定することを特徴とする請求項１記載のＩＰ通信システム。
【請求項３】
前記通信相手方のＩＰアドレスが前記グループのＩＰアドレスとして設定されない場合、前記ＩＰ通信端末は、再度、前記携帯電話から前記通信相手方のＩＰアドレスを取得することを特徴とする請求項１又は２記載のＩＰ通信システム。
【請求項４】
前記ＩＰ通信端末が前記携帯電話に蓄積された前記メールから前記通信相手方のＩＰアドレスを取得し、前記通信相手方のＩＰアドレスを前記グループのＩＰアドレスとして設定した場合に、前記設定が正常に行われたことを提示することを特徴とする請求項１乃至３何れか１項記載のＩＰ通信システム。
【請求項５】
前記グループＩＰアドレス記憶部内に設定された前記グループのＩＰアドレスは、前記グループのＩＰアドレスのグループ設定が有効であるか無効であるかを示すオン／オフフラグを備え、
前記オン／オフフラグをオフからオンへ変換することによってグループ設定を行うことを特徴とする請求項１記載のＩＰ通信システム。
【請求項６】
前記グループＩＰアドレス記憶部内に設定された前記グループのＩＰアドレスは、前記グループのＩＰアドレスのグループ設定が有効であるか無効であるかを示すオン／オフフラグを備え、
前記オン／オフフラグをオンからオフへ変換することによってグループ設定を解除することを特徴とする請求項１記載のＩＰ通信システム。
【請求項７】
グループ設定を行ってから一定時間が経過した前記グループのＩＰアドレスの前記フラグをオンからオフへ変換してグループ設定を解除することを特徴とする請求項６記載のＩＰ通信システム。
【請求項８】
前記ＩＰ通信端末は、自宅の位置を登録する自宅登録手段と、前記自宅に到着したことを検出する自宅到着検出手段を更に備え、
自宅到着検出手段が前記自宅に到着してエンジンを停止したことを検出した場合、前記ＩＰ通信端末は、前記オン／オフフラグをオンからオフへ変換してグループ設定を解除することを特徴とする請求項６記載のＩＰ通信システム。
【請求項９】
メールの送受信が可能な携帯電話と、前記携帯電話と接続可能なＩＰ通信端末とを有し、
前記ＩＰ通信端末は、前記携帯電話と通信を行う外部インターフェース部と、ＩＰ通信可能なＩＰ送受信部と、ＩＰアドレス記憶部と、グループＩＰアドレス記憶部を備え、
前記ＩＰアドレス記憶部は、前記ＩＰ通信端末のＩＰアドレスを記憶し、
前記携帯電話は、グループ走行の通信相手方へ前記ＩＰ通信端末のＩＰアドレスが付されたメールを送信し、前記グループ走行の通信相手方から前記通信相手方のＩＰアドレスが付されたメールを受信し、
前記グループＩＰアドレス記憶部は、前記通信相手方のＩＰアドレスを前記ＩＰ通信端末のグループのＩＰアドレスとして設定することを特徴とするＩＰ通信システム。
【請求項１０】
前記ＩＰ通信端末は、先ず前記通信相手方のＩＰアドレスが付された総てのメールを読み込み、前記読み込みに失敗した時は前記メールを未開封の状態に設定し、再度読み込むときは前記未開封の状態に設定されたメールを読み込むことを特徴とする請求項９記載のＩＰ通信システム。
【請求項１１】
前記ＩＰ通信端末は、前記通信相手方のＩＰアドレスが付されたメールをタイムスタンプ順に読み込むことを特徴とする請求項１０記載のＩＰ通信システム。
【請求項１２】
前記携帯電話が受信したメールに付されたＩＰアドレスが前記携帯電話のアドレス帳に登録されていない場合、前記ＩＰ通信端末は、前記ＩＰアドレスを前記ＩＰ通信端末のグループのＩＰアドレスとして設定するか否かを確認することを特徴とする請求項９記載のＩＰ通信システム。
【請求項１３】
前記ＩＰアドレスが付されたメールは暗号化して送受信されることを特徴とする請求項９記載のＩＰ通信システム。
【請求項１４】
前記ＩＰ通信端末と前記携帯電話とを接続した時、前記携帯電話は、前記ＩＰ通信端末から前記通信相手方のＩＰアドレスを取得し、前記ＩＰアドレスをメール形式で保存することを特徴とする請求項９記載のＩＰ通信システム。
【請求項１５】
前記携帯電話が受信するメールにはグループ設定の有効期限が含まれていることを特徴とする請求項９記載のＩＰ通信システム。
【請求項１６】
前記ＩＰアドレスが付されたメールであることがアイコンで表示されることを特徴とする請求項９記載のＩＰ通信システム。
【請求項１７】
前記ＩＰアドレスが付されたメールの題名をグループ名として前記ＩＰ通信端末内に格納することを特徴とする請求項９記載のＩＰ通信システム。
【発明の詳細な説明】
【技術分野】
【０００１】
本発明は、ＩＰ通信システムに係り、特に、インターネットプロトコル（ＩＰ）をベースにした車車間の通信を行うＩＰ通信システムに関する。
【背景技術】
【０００２】
インターネットの普及によりインターネットに接続し、車両の運行に関するさまざまな情報を取得する車載情報端末が注目されている。
【０００３】
例えば、音楽データ、映像データ、地図データ等の各種データを提供するデータ提供装置を一方の車両に搭載し、この各種データを集信するデータ集信装置を他方の車両に搭載し、無線ＬＡＮなどを介して暗号化された上記各種データを道路上の基地局を介さずに車車間で送受信する車載情報端末が知られている（例えば、特許文献１等を参照）。
【特許文献１】特開２００３−８７２３１号公報（段落[0008]〜[0009]等）
【発明の開示】
【発明が解決しようとする課題】
【０００４】
このような車載情報端末の分野では今後、インターネットプロトコル（ＩＰ）をベースにした車車間の通信が行われると思われる。このＩＰベースの通信では通信相手方をＩＰアドレスを利用して特定する。グループ走行においては、車車間の通信を行うために通信相手方のＩＰアドレスをグループ設定する必要がある。従来のＩＰベースの通信を行う為の車載端末においては、グループ設定を行うために通信相手方のＩＰアドレスをパーソナルコンピュータ（ＰＣ）などの外部デバイスを経由して入力する必要があり、またこのＰＣの入力操作も複雑であった。
【課題を解決するための手段】
【０００５】
本発明の第１の特徴は、携帯電話と通信を行う外部インターフェース部と、ＩＰ通信可能なＩＰ送受信部と、ＩＰアドレス記憶部と、グループＩＰアドレス記憶部とを備えたＩＰ通信端末を有するＩＰ通信システムであって、ＩＰアドレス記憶部は、ＩＰ通信端末のＩＰアドレスを記憶し、外部インターフェース部は、ＩＰ通信端末のＩＰアドレスを携帯電話に送信するとともに、携帯電話に蓄積されたメールから通信相手方のＩＰアドレスを取得し、グループＩＰアドレス記憶部は、通信相手方のＩＰアドレスをＩＰ通信端末のグループのＩＰアドレスとして設定することを要旨とする。
【０００６】
本発明の第２の特徴は、メールの送受信が可能な携帯電話と、携帯電話と接続可能なＩＰ通信端末とを有するＩＰ通信システムであって、ＩＰ通信端末は、携帯電話と通信を行う外部インターフェース部と、ＩＰ通信可能なＩＰ送受信部と、ＩＰアドレス記憶部と、グループＩＰアドレス記憶部を備え、ＩＰアドレス記憶部はＩＰ通信端末のＩＰアドレスを記憶し、携帯電話は、グループ走行の通信相手方へＩＰ通信端末のＩＰアドレスが付されたメールを送信し、グループ走行の通信相手方から通信相手方のＩＰアドレスが付されたメールを受信し、グループＩＰアドレス記憶部は、通信相手方のＩＰアドレスをＩＰ通信端末のグループのＩＰアドレスとして設定することを要旨とする。
【発明の効果】
【０００７】
本発明によれば、簡単な操作でＩＰアドレスのグループ設定ができるＩＰ通信システムを提供することができる。
【発明を実施するための最良の形態】
【０００８】
以下図面を参照して、本発明の実施の形態を説明する。図面の記載において同一あるいは類似部分には同一あるいは類似な符号を付している。
【０００９】
（第１の実施の形態）
図１に示すように、第１の実施の形態に係わるインターネットプロトコル通信システム（ＩＰ通信システム）は、メールの送受信が可能な携帯電話２０と、携帯電話２０と接続可能なＩＰ通信端末１とを有する。第１の実施の形態では、ＩＰ通信システムの一例として、車両に搭載されたＩＰ通信端末（以後、「車載ＩＰ通信端末」という）１を有する車載ＩＰ通信システムについて説明する。また、この車載ＩＰ通信システムは、メールの送受信を行う携帯電話として、車載ＩＰ通信端末１と接続可能な受信側携帯電話２０と、受信側携帯電話２０へメールを送信する送信側携帯電話２１とを有する。
【００１０】
車載ＩＰ通信端末１は、受信側携帯電話２０と通信を行う外部インターフェース部７０と、ＩＰ通信可能なアンテナを備えるＩＰ送受信部４０と、ＩＰアドレス記憶部５０と、グループＩＰアドレス記憶部３０と、車載情報端末６０と、グループＩＰアドレス記憶部３０、ＩＰ送受信部４０、ＩＰアドレス記憶部５０、車載情報端末６０及び外部インターフェース部７０に接続された演算処理部（ＣＰＵ）１０とを備える。
【００１１】
ＩＰアドレス記憶部５０は、車載ＩＰ通信端末１のＩＰアドレス、つまり自車のＩＰアドレスを記憶する。自車のＩＰアドレスは車載ＩＰ通信システムの販売時にＩＰアドレス記憶部５０に書き込まれる。受信側携帯電話２０は送信側携帯電話２１からＩＰアドレスが付されたメール（ＩＰアドレス付きメール）を受信し、蓄積する。外部インターフェース部７０は、受信側携帯電話２０に蓄積されたＩＰアドレス付きメールから通信相手方のＩＰアドレスを取得し、通信相手方のＩＰアドレスをＣＰＵ１０に転送する。ＣＰＵ１０は、グループＩＰアドレス記憶部３０に通信相手方のＩＰアドレスを格納する。なお、外部インターフェース部７０の替わりにＣＰＵ１０が、ＩＰアドレス付きメールからＩＰアドレスを取り出しても構わない。また、外部インターフェース部７０は、受信側携帯電話２０に蓄積されたメールから、送信側携帯電話２１に接続されたＩＰ通信端末、即ち、通信相手方のＩＰアドレスを取得するだけではなく、車載ＩＰ通信端末１のＩＰアドレスを受信側携帯電話２０に送信する。グループＩＰアドレス記憶部３０は、通信相手方のＩＰアドレスを車載ＩＰ通信端末１のグループのＩＰアドレスとして設定する。換言すれば、グループＩＰアドレス記憶部３０は、グループ走行を行う他の車両（グループ車両）に搭載された車載ＩＰ通信端末のＩＰアドレスが格納されている。ＩＰ送受信部４０はグループ車両に搭載されたＩＰ通信端末とＩＰアドレスをベースにＩＰで通信を行う。車載情報端末６０はＩＰ送受信部４０を介して車車間通信を行ったり、サーバーに接続し、運行情報などを取得する。
【００１２】
図１の受信側携帯電話２０及び送信側携帯電話２１は、それぞれ同様な構成を有し、それぞれ図２に示すように、ＣＰＵ１００と、送受信部１１０と、表示部１２０と、入力部１３０と、アドレス帳１４０と、メール管理部１５０と、外部インターフェース部１６０とを有する。送受信部１１０は、所定のアンテナを介して他の携帯電話との間でＩＰアドレス付きメールの送受信を行う。表示部１２０には、ＩＰアドレスを含むＩＰアドレス付きメールに関する様々な情報が表示される。アドレス帳１４０には、ＩＰアドレスが登録され、受信したメールに付されたＩＰアドレスがアドレス帳１４０に登録されているか否かを確認することができる。メール管理部１５０はＩＰアドレス付きメールの送受信を管理し、メールを格納する。外部インターフェース部１６０は、車載ＩＰ通信端末１の外部インターフェース部７０と通信を行う。
【００１３】
次に、図１及び図２に示した車載ＩＰ通信システムの動作について図３乃至図５を参照して説明する。先ず、図３を参照して、グループ設定を行う時の動作について説明する。
【００１４】
（イ）先ずＳ１００段階において、車載ＩＰ通信端末１と受信側携帯電話２０との接続を確認する。車載ＩＰ通信端末１の外部インターフェース部７０は、Ｓ１１０段階においてＩＰアドレス付きメールを受信側携帯電話２０から読み出し、Ｓ１２０段階においてＩＰアドレスを取得する。そして、Ｓ１３０段階において、取得したＩＰアドレスがグループＩＰアドレス記憶部３０に格納される。このように、車載ＩＰ通信端末１と受信側携帯電話２０とを接続した時、車載ＩＰ通信端末１は受信側携帯電話２０に蓄積されたＩＰアドレス付きメールから通信相手方のＩＰアドレスを取得し、グループのＩＰアドレスとして設定する。
【００１５】
（ロ）最後に、Ｓ１４０段階において、グループＩＰアドレスが設定されたことをユーザに提示する。具体的には、車載ＩＰ通信端末１が受信側携帯電話２０に蓄積されたメールから通信相手方のＩＰアドレスを取得し、通信相手方のＩＰアドレスをグループのＩＰアドレスとして設定した場合に、設定が正常に行われたことを提示する。
【００１６】
なお、通信相手方のＩＰアドレスがグループのＩＰアドレスとして設定されない場合、車載ＩＰ通信端末１は、再度、受信側携帯電話２０から通信相手方のＩＰアドレスを取得する。即ち、Ｓ１００〜Ｓ１３０段階の何れかに失敗した場合、再度、上記の手順を繰り返し実行する。
【００１７】
また、ＩＰアドレスはフォーマットが決まっており、例えばＩＰｖ４では３２ビットで構成されているので所定のフォーマットを検索することによって取り出すことができる。
【００１８】
更に、グループＩＰアドレス記憶部３０内に設定されたグループのＩＰアドレスが、グループのＩＰアドレスのグループ設定が有効であるか無効であるかを示すオン／オフフラグを備える場合、以前にグループＩＰアドレスを格納する際にフラグがオフになっているＩＰアドレスのフラグをオンにすることによってグループ設定を行うことができる。
【００１９】
次に、図４を参照して、図１の車載ＩＰ通信端末１を搭載した車両がグループ走行を行う時の動作について説明する。
【００２０】
（Ａ）先ずＳ２００段階において、車載ＩＰ通信端末１のＣＰＵ１０は、自車のＩＰアドレスをＩＰアドレス記憶部５０から読み出す。Ｓ２１０段階において、ＣＰＵ１０は、ＩＰ送受信部４０を介して自車のＩＰアドレスをグループ走行を行う他の車両（グループ車両）に送信し、グループ車両のＩＰアドレスを受信する。
【００２１】
（Ｂ）Ｓ２２０段階において、受信したグループ車両のＩＰアドレスとグループＩＰアドレス記憶部３０に格納されたＩＰアドレスとを比較して一致するものあるか否かを判断する。一致するものがある場合（Ｓ２２０段階においてＹｅｓ）、Ｓ２３０段階において受信したグループ車両のＩＰアドレスをグループ設定し、Ｓ２４０段階においてグループ設定したことをユーザに提示する。一方、一致するものがない場合（Ｓ２２０段階においてＮｏ）、グループ設定を行わない。
【００２２】
次に、図５を参照して、図１の車載ＩＰ通信端末１がグループ設定を解除する時の動作について説明する。
【００２３】
先ずＳ３００段階において、車載ＩＰ通信端末１のＣＰＵ１０は、グループのＩＰアドレスをグループＩＰアドレス記憶部３０から読み出す。Ｓ３１０段階において、設定解除ボタンを押して、読み出したグループＩＰアドレスをグループＩＰアドレス記憶部３０から削除する。最後に、Ｓ３２０段階においてグループＩＰアドレスが消去されたことをユーザに提示する。
【００２４】
なお、Ｓ３１０段階において、グループＩＰアドレス記憶部３０内に設定されたグループのＩＰアドレスが、オン／オフフラグを備える場合、オン／オフフラグをオンからオフへ変換することによってグループ設定を解除することができる。
【００２５】
また、フラグをオンからオフに変更するのを、設定解除ボタンで行う替わりに、グループ設定を行ってから一定時間、例えば２４時間が経過したグループのＩＰアドレスのフラグをオンからオフへ変換してグループ設定を解除しても構わない。
【００２６】
更に、車載ＩＰ通信端末１は、自宅の位置を登録する自宅登録手段と、自宅に到着したことを検出する自宅到着検出手段を更に備え、自宅到着検出手段が自宅に到着したことを検出し、更に車両のエンジンを停止したことを検出した時に、車載ＩＰ通信端末１は、オン／オフフラグをオンからオフへ変換してグループ設定を解除しても構わない。
【００２７】
以上説明したように第１の実施の形態では、ＩＰアドレス付きメールを受信側携帯電話２０で送受信し、ＩＰアドレス付きメールから読み取ったグループのＩＰアドレスを車載ＩＰ通信端末１のグループＩＰアドレス記憶部３０に格納し、そのＩＰアドレスでグループ設定を行うので、簡単な操作でグループ設定ができる。また簡単な操作でグループ設定を解除できる。更に、グループ車両が自車の周辺にいなくてもグループ設定できるので、待ち合わせ時にグループ車両が近づくと通信ができる。グループ設定のオン／オフフラグを備えることにより、以前、格納したＩＰアドレスを利用してグループ設定を行ったり、一定時間が過ぎると自動的にグループ設定を解除したり、自宅に戻って、エンジンが停止すると自動的にグループ設定を解除することができる。
【００２８】
（変形例）
第１の実施の形態の変形例において、ＩＰ通信システムの全体構成は、図１に示したそれと同じであり、説明を省略する。但し、受信側携帯電話２０及び送信側携帯電話２１の構成は、図２に示したそれと異なるため、先ず、第１の実施の形態の変形例に係わる受信側携帯電話２０及び送信側携帯電話２１の構成を図６を参照して説明する。
【００２９】
受信側携帯電話２０及び送信側携帯電話２１は、それぞれ同様な構成を有し、それぞれ図６に示すように、ＣＰＵ１００と、送受信部１１０と、表示部１２０と、入力部１３０と、アドレス帳１４０と、ＩＰアドレス付きメールの送受信を管理し、メールを格納するメール管理部１５０と、外部インターフェース部１６０とを有する。メール管理部１５０を除く他の構成要素は、図２に示したそれらと同じであるため、説明を省略する。
【００３０】
メール管理部１５０は、メールの送受信時刻を管理する時刻管理部１５１と、各メールの開封／未開封フラグを切り替える開封／未開封フラグ管理部１５３と、メールの題名を設定する題名設定部（グループ名設定部）１５５とを有する。なお、ＩＰアドレス付きメールでは題名をグループ名とする。
【００３１】
次に、変形例に係わる車載ＩＰ通信システムの動作について説明する。なお、変形例に係わる車載ＩＰ通信システムの動作のうち、車載ＩＰ通信端末１がグループ設定を行う動作を図７を参照して説明する。但し、車載ＩＰ通信端末１を搭載した車両がグループ走行を行う時の動作、及び車載ＩＰ通信端末１がグループ設定を解除する時の動作は、図４及び図５に示したそれらと同じであるため、説明を省略する。
【００３２】
（イ）先ずＳ４００段階において、車載ＩＰ通信端末１と受信側携帯電話２０との接続を確認する。Ｓ４１０段階において、車載ＩＰ通信端末１はＩＰアドレス付きメールを受信側携帯電話２０からタイムスタンプ順に最近のものから読み出す。
【００３３】
（ロ）Ｓ４２０段階において、読み込みに失敗した場合はそのＩＰアドレス付きメールを未開封の状態に設定し、再度読み込むときは未開封のＩＰアドレス付きメールだけを読み込む。具体的には、車載ＩＰ通信端末１は、先ず通信相手方のＩＰアドレスが付された総てのメールを読み込み、読み込みに失敗した時はそのメールを未開封の状態に設定し、再度読み込むときは未開封の状態に設定されたメールだけを読み込む。
【００３４】
（ハ）車載ＩＰ通信端末１は、Ｓ４３０段階において、ＩＰアドレス付きメールからＩＰアドレスを取り出す。Ｓ４４０段階において、送信元アドレスがアドレス帳１４０に登録されているか否かを判断する。登録されていない場合（Ｓ４４０段階においてＮｏ）、Ｓ４５０段階においてユーザにＩＰアドレスの登録確認を行う。即ち、ＩＰアドレスを車載ＩＰ通信端末１のグループのＩＰアドレスとして設定するか否かを確認した上で、Ｓ４６０段階において、グループＩＰアドレス記憶部３０に格納する。Ｓ４７０段階において、メールの題名が同じＩＰアドレスを同じグループとして設定する。このときメールの題名が設定されていないときはＳ４７０段階を実施せずにＳ４８０段階に進む。最後にＳ４８０段階において、グループＩＰアドレスが設定されたことをユーザに提示する。
【００３５】
以上説明したように第１の実施の形態の変形例によれば、ＩＰアドレス付きメールを受信側携帯電話２０で受信し、ＩＰアドレス付きメールから読み取ったＩＰアドレスを車載ＩＰ通信端末１のグループＩＰアドレス記憶部３０に格納し、そのＩＰアドレスでグループ設定を行うので、簡単な操作でグループ設定ができる。また、簡単な操作でグループ設定を解除できる。さらに、読み込みに失敗した場合はＩＰアドレス付きメールを未開封状態に設定し、再度読み込むときは未開封のＩＰアドレス付きメールを読み込むので、効率的にグループ設定することができる。ＩＰアドレス付きメールをタイムスタンプ順に読み込むので、効率的にグループ設定することができる。受信したメールの宛先（送信元）が受信側携帯電話２０のアドレス帳１４０に登録されていなければ、車載ＩＰ通信端末１のグループのＩＰアドレスとして設定するか否かを確認するので、迷惑メール等の不特定の相手から受け取ったメールを自動的に登録することがなくなる。ＩＰアドレス付きメールの題名をグループ名として車載ＩＰ通信端末１に格納するので、簡単にグループ名を設定することができる。
【００３６】
（第２の実施の形態）
図８に示すように、第２の実施の形態に係わる車載ＩＰ通信システムは、互いにメールの送受信を行う受信側携帯電話２０及び送信側携帯電話２１と、受信側携帯電話２０に接続可能な受信側車載ＩＰ通信端末１と、送信側携帯電話２１に接続可能な送信側車載ＩＰ通信端末２とを有する。
【００３７】
受信側車載ＩＰ通信端末１は、外部インターフェース部７０と、ＩＰ送受信部４０と、ＩＰアドレス記憶部５０と、グループＩＰアドレス記憶部３０と、車載情報端末６０と、グループＩＰアドレス記憶部３０、ＩＰ送受信部４０、ＩＰアドレス記憶部５０、車載情報端末６０及び外部インターフェース部７０に接続されたＣＰＵ１０とを備える。受信側車載ＩＰ通信端末１の各構成要素は、図１に示したそれらと同じであるため、説明を省略する。
【００３８】
同様に、送信側車載ＩＰ通信端末２は、外部インターフェース部７１と、ＩＰ送受信部４１と、ＩＰアドレス記憶部５１と、グループＩＰアドレス記憶部３１と、車載情報端末６１と、グループＩＰアドレス記憶部３１、ＩＰ送受信部４１、ＩＰアドレス記憶部５１、車載情報端末６１及び外部インターフェース部７１に接続されたＣＰＵ１１とを備える。送信側車載ＩＰ通信端末２の各構成要素は、図１に示した受信側車載ＩＰ通信端末１のそれらと同じであるため、説明を省略する。
【００３９】
図８の受信側携帯電話２０及び送信側携帯電話２１は、それぞれ同様な構成を有し、それぞれ図９に示すように、ＣＰＵ１００と、送受信部１１０と、表示部１２０と、入力部１３０と、アドレス帳１４０と、メール管理部１５０と、外部インターフェース部１６０とを有する。メール管理部１５０を除く他の構成要素は、図２に示したそれらと同じであるため、説明を省略する。
【００４０】
メール管理部１５０は、メールの送受信時刻を管理する時刻管理部１５１と、暗号化部１５２と、各メールの開封／未開封フラグを切り替える開封／未開封フラグ管理部１５３と、ＩＰアドレス付きメールアイコン管理部１５４と、メールの題名を設定する題名設定部（グループ名設定部）１５５とを有する。なお、ＩＰアドレス付きメールでは題名をグループ名とする。よって、ＩＰアドレスが付されたメールの題名をグループ名として車載ＩＰ通信端末１、２内に格納する。
【００４１】
暗号化部１５２は、テキストで作成されているメールに対してＳＳＬなどの暗号化処理を行い、また暗号化されたメールをテキストに戻す。よって、ＩＰアドレスが付されたメールは暗号化して送受信される。ＩＰアドレス付きメールアイコン管理部１５４はＩＰアドレス付きのメールをＩＰアドレス付きアイコンで表示するように管理する。具体的には、ＩＰアドレスが付されたメールであることが表示部１２０にアイコンで表示される。
【００４２】
次に、図８及び図９に示した車載ＩＰ通信システムの動作について説明する。なお、図８及び図９に示した車載ＩＰ通信システムの動作のうち、送信側車載ＩＰ通信端末２がグループ設定を行う時の動作、特に、送信側携帯電話２１がＩＰアドレス付きメールを作成し、送信するまでの動作を図１０を参照して説明する。但し、受信側車載ＩＰ通信端末１及び送信側車載ＩＰ通信端末２をそれぞれ搭載した車両がグループ走行を行う時の動作、及び車載ＩＰ通信端末１、２がグループ設定を解除する時の動作は、図４及び図５に示したそれらと同じであるため、説明を省略する。
【００４３】
（イ）先ずＳ５００段階において、送信側携帯電話２１とグループ車両に搭載された送信側車載ＩＰ通信端末２との接続を確認する。送信側携帯電話２１は、Ｓ５１０段階において、グループ設定を行うために送信する通信相手方のＩＰアドレスを送信側車載ＩＰ通信端末２から取得し、Ｓ５２０段階において、このＩＰアドレスをメール形式で保存する。
【００４４】
（ロ）Ｓ５３０段階において、送信側携帯電話２１はメールにグループ設定の有効期限を設定する。受信側携帯電話２０に接続された受信側車両ＩＰ通信端末１はその有効期限の経過と同時にグループ設定を解除する。Ｓ５４０段階において、送信側携帯電話２１のグループ名設定部１５５はグループ走行を行うグループ名をメールの題名として設定する。よって、ＩＰアドレス付きメールは受信側携帯電話２０のメール一覧においてＩＰアドレス付きアイコンで表示されていて、受信側携帯電話２０の表示部１２０で確認することができる。
【００４５】
（ハ）Ｓ５５０段階において、通常のメールはテキスト形式で保存されるが、ここではメールにＩＰアドレスが付されているので、グループ車両のプライバシー保護のため、送信側携帯電話２１の暗号化部１５２は、ＩＰアドレス付きメールに対してＳＳＬなどの暗号化処理を行い、Ｓ５６０段階において、ＩＰアドレス付きメールを送信する。そして、Ｓ５７０段階において、表示部１２０を介して、ＩＰアドレス付きメールが送信されたことをユーザに提示する。
【００４６】
以上説明したように第２の実施の形態によれば、ＩＰアドレス付きメールを携帯電話２０、２１で送受信し、ＩＰアドレス付きメールから読み取ったＩＰアドレスを受信側車載ＩＰ通信端末１に格納し、そのＩＰアドレスを用いてグループ設定するので、簡単な操作でグループ設定ができる。また簡単な操作でグループ設定を解除できる。更に、ＩＰアドレス付きメールを暗号化して送受信するため、ＩＰアドレスが途中で第三者により盗まれ、或いは勝手にグループ設定されることがなくなる。送信側車載ＩＰ通信端末２と送信側携帯電話２１とを接続すると、送信側携帯電話２１は送信側車載ＩＰ通信端末２からＩＰアドレスを取得し、そのＩＰアドレスをメール形式で保存するので、簡単にＩＰアドレス付きメールを作成することができる。また、ＩＰアドレス付きメールにグループ設定の有効期限を設定することにより、グループ設定したまま放置されるおそれが無くなる。ＩＰアドレス付きメールであることを表示部１２０にアイコン表示するので、携帯電話２０、２１に蓄積された多数のメールの中からＩＰアドレス付きメールを容易に判別することができる。
【００４７】
（その他の実施の形態）
上記のように、本発明は、第１及び第２の実施の形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００４８】
実施の形態及び変形例では、ＩＰアドレス付きメールを作成する作業は受信側携帯電話２０或いは送信側携帯電話２１で行っているが、車載ＩＰ通信端末１がメールを作成して受信側携帯電話２０に送信しても構わない。
【００４９】
このように、本発明はここでは記載していない様々な実施の形態等を包含するということを理解すべきである。したがって、本発明はこの開示から妥当な特許請求の範囲に係る発明特定事項によってのみ限定されるものである。
【００５０】
以上説明したように、請求項１及び請求項９記載の発明によれば、携帯電話によるメールの送受信においてＩＰアドレスを送受信し、そのＩＰアドレスを車載ＩＰ通信端末１のグループのＩＰアドレスとして設定するので、簡単な操作でグループ設定ができる。
【００５１】
請求項２記載の発明によれば、車載ＩＰ通信端末と携帯電話とを接続すると、車載ＩＰ通信端末はＩＰアドレスが含まれたメールを取得し、メールに含まれるＩＰアドレスをグループのＩＰアドレスとして設定するので、携帯電話と車載ＩＰ通信端末とが自動的にＩＰアドレスをやり取りできる。
【００５２】
請求項３記載の発明によれば、メールからのＩＰアドレス取得に失敗しても、再度読込みを行うため、確実にＩＰアドレスを読み込むことができる。
【００５３】
請求項４記載の発明によれば、グループＩＰアドレスの設定が正常に行われたか、失敗したかをユーザに提示するので、グループ設定が確認できる。
【００５４】
請求項５記載の発明によれば、グループＩＰアドレスのオン／オフフラグをオフからオンに変更することによってグループ設定を行うので、以前、記憶したグループＩＰアドレスを利用できる。
【００５５】
請求項６の発明によれば、グループＩＰアドレスのオン／オフフラグをオンからオフに変更することによってグループ設定を解除するので、次に、グループ設定するとき簡単にできるようになる。
【００５６】
請求項７記載の発明によれば、一定時間が経過するとグループＩＰアドレスのオン／オフフラグがオンからオフすることによってグループ設定を解除するので、グループ設定したまま放置する心配がなくなる。
【００５７】
請求項８記載の発明によれば、自宅に戻って、エンジンを停止するとグループＩＰアドレスのオン／オフフラグをオンからオフすることによってグループ設定を解除するので、グループ設定したまま放置する心配がなくなる。
【００５８】
請求項１０記載の発明によれば、読み込みに失敗した場合は未開封に設定し、再度読み込むときは未開封のＩＰアドレス付きメールを読み込むので、効率的にグループ設定することができる。
【００５９】
請求項１１記載の発明によれば、メールをタイムスタンプ順に読み込むので、効率的にグループ設定を行うことができる。
【００６０】
請求項１２記載の発明によれば、受信したメールの宛先が携帯電話２０、２１のアドレス帳１４０に登録されていない場合に、車載ＩＰ通信端末１、２のグループのＩＰアドレスとして設定するかをユーザに確認するので、迷惑メール（不特定の相手から受け取ったメール）に書き込まれていたＩＰアドレスを自動的に登録することがなくなる。
【００６１】
請求項１３記載の発明によれば、ＩＰアドレスが含まれるメールを暗号化して送受信するので、ＩＰアドレスが途中で盗まれて、勝手にグループ設定されることがなくなる。
【００６２】
請求項１４記載の発明によれば、車載ＩＰ通信端末１、２と携帯電話２０、２１とを接続すると、携帯電話２０、２１は車載ＩＰ通信端末１、２からＩＰアドレスを取得し、そのＩＰアドレスをメール形式で保存するので、簡単にＩＰアドレス付きメールを作成することができる。
【００６３】
請求項１５記載の発明によれば、メールの中にグループ設定の有効期限を入れるので、グループを設定したまま放置する心配がなくなる。
【００６４】
請求項１６記載の発明によれば、ＩＰアドレス付きメールであることをアイコン表示するので、多数のメールの中からＩＰアドレス付きメールを見つけやすくなる。
【００６５】
請求項１７記載の発明によれば、ＩＰアドレス付きメールの題名をグループ名として車載ＩＰ通信端末１、２に格納するので、簡単にグループ名を設定することができる。
【図面の簡単な説明】
【００６６】
【図１】本発明の第１の実施の形態に係わる車両用ＩＰ通信システムを示すブロック図である。
【図２】図１の受信側携帯電話及び送信側携帯電話を示すブロック図である。
【図３】車載ＩＰ通信端末がグループ設定を行う時の動作を示すフローチャートである。
【図４】車載ＩＰ通信端末を搭載した車両がグループ走行を行う時の動作を示すフローチャートである。
【図５】車載ＩＰ通信端末がグループ設定を解除する時の動作を示すフローチャートである。
【図６】第１の実施の形態の変形例に係わる受信側携帯電話及び送信側携帯電話を示すブロック図である。
【図７】変形例に係わる車載ＩＰ通信端末がグループ設定を行う時の動作を示すフローチャートである。
【図８】本発明の第２の実施の形態に係わる車両用ＩＰ通信システムを示すブロック図である。
【図９】図８に示した受信側携帯電話及び送信側携帯電話を示すブロック図である。
【図１０】図８の車載ＩＰ通信システムがグループ設定を行う時の動作を示すフローチャートである。
【符号の説明】
【００６７】
１、２…車載ＩＰ通信端末
１０、１００…ＣＰＵ
１１…ＣＰＵ
２０…受信側携帯電話
２１…送信側携帯電話
３０、３１…アドレス記憶部
４０、４１…ＩＰ送受信部
５０、５１…ＩＰアドレス記憶部
６０、６１…車載情報端末
７０、７１…外部インターフェース部
１１０…送受信部
１２０…表示部
１３０…入力部
１４０…アドレス帳
１５０…メール管理部
１５１…時刻管理部
１５２…暗号化部
１５３…開封／未開封フラグ管理部
１５４…メールアイコン管理部
１５５…グループ名設定部
１６０…外部インターフェース部
【図１】
2005198095.tif 000003
【図２】
2005198095.tif 000004
【図３】
2005198095.tif 000005
【図４】
2005198095.tif 000006
【図５】
2005198095.tif 000007
【図６】
2005198095.tif 000008
【図７】
2005198095.tif 000009
【図８】
2005198095.tif 000010
【図９】
2005198095.tif 000011
【図１０】
2005198095.tif 000012